(57)【要約】【課題】効率よく表示装置の画面の輝度を均一にする表示装置及び表示装置の輝度補正方法を提供する。【解決手段】複数の表示画素１１０からなる表示部１１と、表示部１１に入力される映像信号の輝度を補正する補正値を記憶する記憶部１２と、記憶部１２に記憶された補正値に基づいて映像信号の輝度補正を行う補正部１４と、を備えるＬＣＤ１において、補正値は、表示部１１を分割した所定のブロック毎の光の輝度値が均一となるように設定されたブロック毎の補正値であり、記憶部１２は、白色の光の輝度値に基づく補正値と黒色の光の輝度値に基づく補正値を記憶し、補正部１４は、記憶部１２に記憶された白色の光の輝度値に基づく補正値と黒色の光の輝度値に基づく補正値を用いて、ブロック毎に近似式を算出し、当該算出されたブロック毎の近似式を用いて、表示部１１から他の階調の光を出力させるための映像信号の輝度補正を行うよう構成した。【選択図】図１
2006235541.tif 000002
【特許請求の範囲】
【請求項１】
複数の表示ユニットからなる表示部と、前記表示部に入力される映像信号の輝度を補正する補正値を記憶する記憶部と、前記記憶部に記憶された補正値に基づいて映像信号の輝度補正を行う補正部と、を備える表示装置において、
前記補正値は、前記表示部を分割した所定のブロック毎の光の輝度値が均一となるように設定されたブロック毎の補正値であり、
前記記憶部は、白色の光の輝度値に基づく補正値と黒色の光の輝度値に基づく補正値を記憶し、
前記補正部は、前記記憶部に記憶された白色の光の輝度値に基づく補正値と黒色の光の輝度値に基づく補正値を用いて、ブロック毎に近似式を算出し、当該算出されたブロック毎の近似式を用いて、前記表示部から他の階調の光を出力させるための映像信号の輝度補正を行うことを特徴とする表示装置。
【請求項２】
複数の表示ユニットからなる表示部と、前記表示部に入力される映像信号の輝度を補正する補正値を記憶する記憶部と、前記記憶部に記憶された補正値に基づいて映像信号の輝度補正を行う補正部と、を備える表示装置において、
前記補正値は、前記表示部を分割した所定のブロック毎の光の輝度値が均一となるように設定されたブロック毎の補正値であり、
前記補正部は、前記記憶部に記憶されたブロック毎の補正値に基づいて映像信号の輝度補正を行うことを特徴とする表示装置。
【請求項３】
請求項２記載の表示装置において、
前記記憶部は、少なくとも二つの階調の光の輝度値に基づく補正値を記憶し、
前記補正部は、前記記憶部に記憶された少なくとも二つの階調の光の輝度値に基づく補正値を用いて、ブロック毎に近似式を算出し、当該算出されたブロック毎の近似式を用いて、前記表示部から他の階調の光を出力させるための映像信号の輝度補正を行うことを特徴とする表示装置。
【請求項４】
複数の表示ユニットからなる表示部と、前記表示部に入力される映像信号の輝度を補正する補正値を記憶する記憶部と、前記記憶部に記憶された補正値に基づいて映像信号の輝度補正を行う補正部と、を備える表示装置における輝度補正方法において、
前記表示部から出力される光の輝度値を、前記表示ユニット毎に測定する輝度測定ステップと、
前記表示部を所定のブロックに分割し、前記輝度測定ステップで測定された表示ユニット毎の光の輝度値を、所定のブロック毎に平均化する平均化ステップと、
前記平均化ステップにより平均化されたブロック毎の光の輝度値が均一となるように、ブロック毎の補正値を算出する補正値算出ステップと、
前記補正値算出ステップにより算出されたブロック毎の補正値を、前記記憶部に記憶させる記憶制御ステップと、
を備えることを特徴とする表示装置の輝度補正方法。
【請求項５】
請求項４に記載の表示装置の輝度補正方法において、
前記表示部は、少なくとも二つの階調の光を出力させるための映像信号が入力され、
前記輝度測定ステップでは、前記表示部から出力される光の輝度値を、階調別に、前記表示ユニット毎に測定し、
前記平均化ステップでは、前記表示部を所定のブロックに分割し、前記輝度測定ステップで測定された表示ユニット毎の光の輝度値を、階調別に、所定のブロック毎に平均化し、
前記補正値算出ステップでは、前記平均化ステップにより平均化されたブロック毎の光
の輝度値が均一となるように、階調別に、ブロック毎の補正値を算出し、
前記記憶制御ステップでは、前記補正値算出ステップにより算出されたブロック毎の補正値を、階調別に、記憶部に記憶させ、
前記補正部は、前記記憶部に記憶された少なくとも二つの階調の光の輝度値に基づく補正値を用いて、ブロック毎に近似式を算出し、当該算出されたブロック毎の近似式を用いて、前記表示部から他の階調の光を出力させるための映像信号の補正を、ブロック毎に行うことを特徴とする表示装置の輝度補正方法。
【請求項６】
請求項５記載の表示装置の輝度補正方法において、
前記記憶部は、白色の光の輝度値の基づく補正値をブロック毎に記憶する白色記憶部と、黒色の光の輝度値に基づく補正値をブロック毎に記憶する黒色記憶部とを備え、
前記補正部は、前記記憶部に記憶された白色の光の輝度値に基づく補正値と黒色の光の輝度値に基づく補正値とを用いて、ブロック毎に近似式を算出し、当該算出されたブロック毎の近似式を用いて、前記表示部から白色と黒色との間の他の階調の光を出力させるための映像信号の補正を、ブロック毎に行うことを特徴とする表示装置の輝度補正方法。
【発明の詳細な説明】
【技術分野】
【０００１】
本発明は、表示装置及び表示装置の輝度補正方法に関する。
【背景技術】
【０００２】
従来、表示装置として、ブラウン管（ＣＲＴ）ディスプレイ、液晶ディスプレイ（ＬＣＤ）、プラズマディスプレイ（ＰＤＰ）、電界放出ディスプレイ（ＦＥＤ）、エレクトロルミネッセンス（ＥＬ）ディスプレイなどが知られている。これらの表示装置の画面は、複数の表示ユニットを並べて構成される。表示ユニットは、具体的には、例えば、ＬＣＤの場合には、アレイ状に配列された表示画素が該当する。
【０００３】
これら表示ユニットの輝度には個体差がある。具体的には、例えば、ＬＣＤの表示画素の場合においては、バックライトの蛍光ランプの蛍光体の塗布ムラや、導光板や拡散板の製造バラツキなどに起因して、表示画素間での輝度ムラが生じてしまう。そして、輝度ムラが基準値を超えた場合には、不良品となっていたため、歩留まりが低下するという問題があった。
【０００４】
そこで、全ての表示ユニットの輝度値を測定し、当該測定した表示ユニットの輝度値に基づいて、表示ユニット毎の補正値を求め、そして、当該補正値に基づいて、各表示ユニットの輝度を補正することができるよう、表示装置に当該補正値を記憶させる方法（特許文献１参照）、表示ユニットを発光させる際の駆動電流を検出し、当該検出した駆動電流に基づいて、表示ユニット毎の補正値を求め、表示装置に当該補正値を記憶させる方法（特許文献２，３参照）などが提案された。
【特許文献１】特開２００１−３２４９６１号公報
【特許文献２】特開２００４−２６４７９３号公報
【特許文献３】特開２００４−２９５０８１号公報
【発明の開示】
【発明が解決しようとする課題】
【０００５】
しかしながら、上述する方法では、表示装置の画面上の全ての表示ユニットに対する補正値を、表示装置に記憶させるため、表示装置においては、膨大な記憶容量が必要とされ、コストが嵩むという問題がある。
【０００６】
本発明の課題は、効率よく表示装置の画面の輝度を均一にする表示装置及び表示装置の輝度補正方法を提供することにある。
【課題を解決するための手段】
【０００７】
上記課題を解決するために、請求項１に記載の発明は、複数の表示ユニットからなる表示部と、前記表示部に入力される映像信号の輝度を補正する補正値を記憶する記憶部と、前記記憶部に記憶された補正値に基づいて映像信号の輝度補正を行う補正部と、を備える表示装置において、前記補正値は、前記表示部を分割した所定のブロック毎の光の輝度値が均一となるように設定されたブロック毎の補正値であり、前記記憶部は、白色の光の輝度値に基づく補正値と黒色の光の輝度値に基づく補正値を記憶し、前記補正部は、前記記憶部に記憶された白色の光の輝度値に基づく補正値と黒色の光の輝度値に基づく補正値を用いて、ブロック毎に近似式を算出し、当該算出されたブロック毎の近似式を用いて、前記表示部から他の階調の光を出力させるための映像信号の輝度補正を行うことを特徴とする。
【０００８】
請求項２に記載の発明は、複数の表示ユニットからなる表示部と、前記表示部に入力される映像信号の輝度を補正する補正値を記憶する記憶部と、前記記憶部に記憶された補正値に基づいて映像信号の輝度補正を行う補正部と、を備える表示装置において、前記補正値は、前記表示部を分割した所定のブロック毎の光の輝度値が均一となるように設定されたブロック毎の補正値であり、前記補正部は、前記記憶部に記憶されたブロック毎の補正値に基づいて映像信号の輝度補正を行うことを特徴とする。
【０００９】
請求項３に記載の発明は、請求項２記載の表示装置において、前記記憶部は、少なくとも二つの階調の光の輝度値に基づく補正値を記憶し、前記補正部は、前記記憶部に記憶された少なくとも二つの階調の光の輝度値に基づく補正値を用いて、ブロック毎に近似式を算出し、当該算出されたブロック毎の近似式を用いて、前記表示部から他の階調の光を出力させるための映像信号の輝度補正を行うことを特徴とする。
【００１０】
請求項４に記載の発明は、複数の表示ユニットからなる表示部と、前記表示部に入力される映像信号の輝度を補正する補正値を記憶する記憶部と、前記記憶部に記憶された補正値に基づいて映像信号の輝度補正を行う補正部と、を備える表示装置における輝度補正方法において、前記表示部から出力される光の輝度値を、前記表示ユニット毎に測定する輝度測定ステップと、前記表示部を所定のブロックに分割し、前記輝度測定ステップで測定された表示ユニット毎の光の輝度値を、所定のブロック毎に平均化する平均化ステップと、前記平均化ステップにより平均化されたブロック毎の光の輝度値が均一となるように、ブロック毎の補正値を算出する補正値算出ステップと、前記補正値算出ステップにより算出されたブロック毎の補正値を、前記記憶部に記憶させる記憶制御ステップと、を備えることを特徴とする。
【００１１】
請求項５に記載の発明は、請求項４に記載の表示装置の輝度補正方法において、前記表示部は、少なくとも二つの階調の光を出力させるための映像信号が入力され、前記輝度測定ステップでは、前記表示部から出力される光の輝度値を、階調別に、前記表示ユニット毎に測定し、前記平均化ステップでは、前記表示部を所定のブロックに分割し、前記輝度測定ステップで測定された表示ユニット毎の光の輝度値を、階調別に、所定のブロック毎に平均化し、前記補正値算出ステップでは、前記平均化ステップにより平均化されたブロック毎の光の輝度値が均一となるように、階調別に、ブロック毎の補正値を算出し、前記記憶制御ステップでは、前記補正値算出ステップにより算出されたブロック毎の補正値を、階調別に、記憶部に記憶させ、前記補正部は、前記記憶部に記憶された少なくとも二つの階調の光の輝度値に基づく補正値を用いて、ブロック毎に近似式を算出し、当該算出されたブロック毎の近似式を用いて、前記表示部から他の階調の光を出力させるための映像信号の補正を、ブロック毎に行うことを特徴とする。
【００１２】
請求項６に記載の発明は、請求項５記載の表示装置の輝度補正方法において、前記記憶部は、白色の光の輝度値の基づく補正値をブロック毎に記憶する白色記憶部と、黒色の光の輝度値に基づく補正値をブロック毎に記憶する黒色記憶部とを備え、前記補正部は、前記記憶部に記憶された白色の光の輝度値に基づく補正値と黒色の光の輝度値に基づく補正値とを用いて、ブロック毎に近似式を算出し、当該算出されたブロック毎の近似式を用いて、前記表示部から白色と黒色との間の他の階調の光を出力させるための映像信号の補正を、ブロック毎に行うことを特徴とする。
【発明の効果】
【００１３】
請求項１に記載の発明によれば、補正値を、表示部を分割した所定のブロック毎の光の輝度値が均一となるように設定されたブロック毎の補正値とすることができ、記憶部は、白色の光の輝度値に基づく補正値と黒色の光の輝度値に基づく補正値を記憶することができ、補正部は、記憶部に記憶された白色の光の輝度値に基づく補正値と黒色の光の輝度値
に基づく補正値を用いて、ブロック毎に近似式を算出し、当該算出されたブロック毎の近似式を用いて、表示部から他の階調の光を出力させるための映像信号の輝度補正を行うことができる。したがって、表示装置に表示装置の表示部（画面）上の全ての表示ユニットに対する補正値を記憶させる場合と比較して、記憶容量を小さくすることができるため、表示装置のコストダウンが可能となって、効率よく表示装置の画面の輝度を均一にすることができる。また、白色の光の輝度値に基づく補正値と、黒色の光の輝度値に基づく補正値を用いて、表示装置の表示部（画面）の輝度ムラを補正することができるため、表示装置の表示部において表示することができる全ての階調の光について輝度補正することができるため、より簡便に、表示装置の画面の輝度を均一にすることができる。
【００１４】
請求項２に記載の発明によれば、補正値は、表示部を分割した所定のブロック毎の光の輝度値が均一となるように設定されたブロック毎の補正値とすることができ、補正部は、記憶部に記憶されたブロック毎の補正値に基づいて映像信号の輝度補正を行うことができる。したがって、表示装置に表示装置の表示部（画面）上の全ての表示ユニットに対する補正値を記憶させる場合と比較して、記憶容量を小さくすることができるため、表示装置のコストダウンが可能となって、効率よく表示装置の画面の輝度を均一にすることができる。
【００１５】
請求項３に記載の発明によれば、請求項２に記載の発明と同様の効果が得られることは無論のこと、記憶部は、少なくとも二つの階調の光の輝度値に基づく補正値を記憶することができ、補正部は、記憶部に記憶された少なくとも二つの階調の光の輝度値に基づく補正値を用いて、ブロック毎に近似式を算出し、当該算出されたブロック毎の近似式を用いて、表示部から他の階調の光を出力させるための映像信号の輝度補正を行うことができる。すなわち、少なくとも二つの階調の光の輝度値に基づく補正値を用いて、表示装置の表示部（画面）の輝度ムラを補正することができるため、簡便に且つ正確に、表示装置の画面の輝度を均一にすることができる。
【００１６】
請求項４に記載の発明によれば、輝度測定ステップによって、表示部から出力される光の輝度値を、表示ユニット毎に測定することができ、平均化ステップによって、表示部を所定のブロックに分割し、輝度測定ステップで測定された表示ユニット毎の光の輝度値を、所定のブロック毎に平均化することができ、補正値算出ステップによって、平均化ステップにより平均化されたブロック毎の光の輝度値が均一となるように、ブロック毎の補正値を算出することができ、記憶制御ステップによって、補正値算出ステップにより算出されたブロック毎の補正値を、記憶部に記憶させることができる。したがって、表示装置に表示装置の表示部（画面）上の全ての表示ユニットに対する補正値を記憶させる場合と比較して、記憶容量を小さくすることができるため、表示装置のコストダウンが可能となって、効率よく表示装置の画面の輝度を均一にすることができる。
【００１７】
請求項５に記載の発明によれば、請求項４に記載の発明と同様の効果が得られることは無論のこと、表示部に、少なくとも二つの階調の光を出力させるための映像信号を入力することができ、輝度測定ステップによって、表示部から出力される光の輝度値を、階調別に、表示ユニット毎に測定することができ、平均化ステップによって、表示部を所定のブロックに分割し、輝度測定ステップで測定された表示ユニット毎の光の輝度値を、階調別に、所定のブロック毎に平均化することができ、補正値算出ステップによって、平均化ステップにより平均化されたブロック毎の光の輝度値が均一となるように、階調別に、ブロック毎の補正値を算出することができ、記憶制御ステップでは、補正値算出ステップにより算出されたブロック毎の補正値を、階調別に、記憶部に記憶させることができる。そして、補正部は、記憶部に記憶された少なくとも二つの階調の光の輝度値に基づく補正値を用いて、ブロック毎に近似式を算出し、算出されたブロック毎の近似式を用いて、表示部から他の階調の光を出力させるための映像信号の補正を、ブロック毎に行うことができる
。すなわち、少なくとも二つの階調の光の輝度値に基づく補正値を用いて、表示装置の表示部（画面）の輝度ムラを補正することができるため、簡便に且つ正確に、表示装置の画面の輝度を均一にすることができる。
【００１８】
請求項６に記載の発明によれば、請求項５に記載の発明と同様の効果が得られることは無論のこと、少なくとも二つの階調における色を、白色と黒色とにすることができる。したがって、表示装置の表示部において表示することができる全ての階調の光について輝度補正することができるため、より簡便に、表示装置の画面の輝度を均一にすることができる。
【発明を実施するための最良の形態】
【００１９】
以下、図を参照して、本発明にかかる表示装置及び表示装置の輝度補正方法の最良の形態を詳細に説明する。
[表示装置]
まず、表示装置について、図１を参照して説明する。
【００２０】
なお、本実施の形態においては、表示装置として、ＬＣＤ（液晶ディスプレイ）を例示して説明する。
【００２１】
ＬＣＤ１は、例えば、図１に示すように、制御部１０、表示部１１、記憶部１２、信号出力部１３、補正部１４などを備えて構成される。
【００２２】
制御部１０は、図示しないＣＰＵ（Central Processing Unit）、ＲＡＭ（Random Access Memory）、ＲＯＭ（Read Only Memory）などを備えている。
【００２３】
ＣＰＵは、ＲＯＭ内に格納されたＬＣＤ１用の各種処理プログラムに従って各種の制御動作を行う。
【００２４】
ＲＡＭは、ＣＰＵによって実行される処理プログラムなどを展開するためのプログラム格納領域や、入力データや上記処理プログラムが実行される際に生じる処理結果などを格納するデータ格納領域などを備える。
【００２５】
ＲＯＭは、ＬＣＤ１で実行可能なシステムプログラム、当該システムプログラムで実行可能な各種処理プログラム、これら各種処理プログラムを実行する際に使用されるデータ、ＣＰＵによって演算処理された処理結果のデータなどを記憶する。なお、プログラムは、コンピュータが読み取り可能なプログラムコードの形でＲＯＭ内に記憶されている。
【００２６】
表示部１１は、複数の表示ユニットとしての表示画素１１０…からなり、複数の表示画素１１０…は、例えば、アレイ状に配列されている。具体的には、表示部１１の解像度が、例えば、８００×６００画素（ＳＶＧＡ）の場合には、表示部１１の横に８００個、縦に６００個の表示画素１１０が配されている。
【００２７】
表示部１１の表示画素１１０は、信号出力部１３から出力され、補正部１４により補正された映像信号に従って、所与の表示処理された色の光を出力する。
【００２８】
記憶部１２は、表示部１１に入力される映像信号の輝度を補正する補正値を記憶する。記憶部１２は、具体的には、例えば、図１に示すように、白色記憶部としての白色光補正値データファイル１２１、黒色記憶部としての黒色光補正値データファイル１２２などを記憶している。
【００２９】
白色光補正値データファイル１２１は、例えば、表示部１１に入力される白色（例えば、２５６階調における、０階調の色）の光を出力させるための映像信号を補正する補正値を記憶する。白色光補正値データファイル１２１は、表示部１１を分割した所定のブロックの個数と同数の「白色光の補正値」記憶領域を備えている。そして、「白色光の補正値」記憶領域には、表示部１１におけるブロックの位置と、当該ブロックに入力される白色
の光を出力させるための映像信号を補正する補正値とが対応付けられて記憶される。具体的には、例えば、図２（ａ）に示すように、「１(横)−１(縦)」の「白色光の補正値」記憶領域１２１ａ１１には、表示部１１における左上角にあるブロックに入力される白色光を出力させるための映像信号を補正する補正値が記憶される。「４(横)−３(縦)」の「白色光の補正値」記憶領域１２１ａ４３には、表示部１１における右下角にあるブロックに入力される白色光を出力させるための映像信号を補正する補正値が記憶される。
【００３０】
なお、「白色光の補正値」記憶領域には、例えば、図２（ａ）に示すように、予め「０」が記憶されている。そして、補正値算出装置２（後述）によって算出された白色光の補正値（白色光の輝度値に基づく補正値）が記憶部１２に出力されると、「白色光の補正値」記憶領域に記憶されるようになっている。
【００３１】
黒色光補正値データファイル１２２は、例えば、表示部１１に入力される黒色（例えば、２５６階調における、２５６階調の色）の光を出力させるための映像信号を補正する補正値を記憶する。黒色光補正値データファイル１２２は、表示部１１を分割した所定のブロックの個数と同数の「黒色光の補正値」記憶領域を備えている。そして、「黒色光の補正値」記憶領域には、表示部１１におけるブロックの位置と、当該ブロックに入力される黒色の光を出力させるための映像信号を補正する補正値とが対応付けられて記憶される。具体的には、例えば、図２（ｂ）に示すように、「１(横)−１(縦)」の「黒色光の補正値」記憶領域１２２ａ１１には、表示部１１における左上角にあるブロックに入力されるの黒色光を出力するための映像信号を補正する補正値が記憶される。「４(横)−３(縦)」の「黒色光の補正値」記憶領域１２２ａ４３には、表示部１１における右下角にあるブロックに入力される黒色光を出力させるための映像信号を補正する補正値が記憶される。
【００３２】
なお、「黒色光の補正値」記憶領域には、例えば、図２（ｂ）に示すように、予め「０」が記憶されている。そして、補正値算出装置２（後述）によって算出された黒色光の補正値（黒色光の輝度値に基づく補正値）が記憶部１２に出力されると、「黒色光の補正値」記憶領域に記憶されるようになっている。
【００３３】
信号出力部１３は、映像信号、補正値を取得するために必要な信号などを、補正部１４に出力する。具体的には、信号出力部１３は、補正部１４の近似回路１４１（後述）に、補正値を取得するために必要な信号を出力する。補正値を取得するために必要な信号には、例えば、表示部１１における映像信号が入力される画素位置に関する画素位置信号、映像信号が入力されて表示部１１から出力される光の階調に関する階調信号、映像信号の同期信号などが含まれる。また、信号出力部１３は、補正部１４の加算回路１４２（後述）に、映像信号を出力する。
【００３４】
補正部１４は、例えば、記憶部１２の白色光補正値データファイル１２１や黒色光補正値データファイル１２２に記憶された補正値に基づいて、信号出力部１３から入力される映像信号の輝度補正を行う。補正部１４は、具体的には、例えば、図１に示すように、近似回路１４１、加算回路１４２などを備えている。
【００３５】
近似回路１４１は、信号出力部１３から入力される映像信号を補正する補正値を取得して、加算回路１４２に出力する。具体的には、近似回路１４１は、画素位置信号から、当該画素位置に対するブロックの位置から白色光を出力させるための映像信号を補正する補正値を白色光補正値データファイル１２１から取得するとともに、黒色光を出力させるための映像信号を補正する補正値を黒色光補正値データファイル１２２から取得する。そして、当該取得した２つの補正値を用いて、ブロック毎に近似式を算出する。そして、当該算出したブロック毎の近似式と、階調信号とを用いて、当該階調の光を出力させるための映像信号を補正する補正値を取得する。そして、当該取得したブロック毎の補正値を、映像信号の同期信号に従って、加算回路１４２に出力する。
【００３６】
加算回路１４２は、映像信号を、補正値に基づいて補正して、表示部１０に出力する。具体的には、加算回路１４２は、信号出力部１３から入力された映像信号を、映像信号の同期信号に従って近似回路１４１から入力されたブロック毎の補正値に基づいて、加算補
正し、当該補正した映像信号を、表示部１０の該当する画素位置に配された表示画素１１０に出力する。
[補正値算出装置]
次に、ＬＣＤ１の表示部１１から出力される光の輝度値を測定し、当該輝度値に基づく補正値を算出する補正値算出装置２について、図１を参照して説明する。
【００３７】
補正値算出装置２は、例えば、図１に示すように、輝度値測定部２１、平均化回路２２、補正値算出部２３などを備えて構成される。
【００３８】
輝度値測定部２１は、ＬＣＤ１の表示部１１の各表示画素１１０から出力される光の輝度値を、表示画素１１０毎に測定する。そして、当該測定した輝度値を、平均化回路２２に出力する。輝度値測定部２１は、各表示画素１１０から出力される光の輝度値を測定することができるように、例えば、表示部１１が有する表示画素１１０の個数と同数の光センサ２１０を有している。そして、光センサ２１０は、各表示画素１１０から出力される光の輝度値を測定することができるように、適切な位置に配されている。
【００３９】
平均化回路２２は、輝度値測定部２１によって測定された表示画素１１０毎の光の輝度値を、表示部１１を分割した所定のブロック毎に平均化する。そして、当該平均化したブロック毎の光の輝度値を、補正値算出部２３に出力する。
【００４０】
補正値算出部２３は、平均化回路２２によって平均化されたブロック毎の光の輝度値が均一になるように、ブロック毎の補正値を算出する。そして、当該算出したブロック毎の補正値を、ケーブル３を介して、ＬＣＤ１に出力する。
[表示装置の輝度補正方法]
次に、ＬＣＤ１における輝度補正に関する処理について、図３を参照して説明する。
【００４１】
なお、例えば、図４（ａ）や図６（ａ）に示すように、表示部１１には、表示部１１の横に８個、縦に６個の表示画素１１０が配されていることとする。
【００４２】
まず、信号出力部１３から、補正部１４を介して、表示部１１の各表示画素１１０に、白色（０階調の色）の光を出力させるための映像信号が出力される（ステップＳ１）。
【００４３】
具体的には、信号出力部１３は、補正部１４の近似回路１４１に、画素位置信号、階調信号、同期信号などが含まれる補正値を取得するために必要な信号などを出力し、補正部１４の加算回路１４２に、映像信号を出力する。近似回路１４１は、信号出力部１３から補正値を取得するために必要な信号が入力されると、白色光を出力させるための映像信号を補正する補正値を、ブロック毎に取得して、加算回路１４２に出力する。そして、加算回路１４２は、近似回路１４１から入力されたブロック毎の補正値に基づいて、信号出力部１３から入力された映像信号を加算補正し、当該補正した映像信号を、表示部１０の該当する画素位置に配された表示画素１１０に出力する。なお、ステップＳ１の時点においては、白色光補正値データファイル１２１（図２（ａ））に記憶された補正値は、全て「０」であるため、近似回路１４１から加算回路１４２に入力されるブロック毎の補正値は、全て「０」となる。したがって、映像信号は、加算回路１４２によって加算補正されても、変化することなく、表示部１０の表示画素１１０に出力されることとなる。
【００４４】
次いで、表示部１１の各表示画像１１０から、白色光が出力される（ステップＳ２）。すると、輝度値測定部２１において、当該白色光の輝度値が、表示画素１１０毎に測定される（ステップＳ３：輝度測定ステップ）。
【００４５】
具体的には、例えば、表示部１１の各表示画像１１０から、図４（ａ）に示すような白色光の輝度値が得られたとする。
【００４６】
次いで、表示画素１１０毎の白色光の輝度値が、輝度値測定部２１から平均化回路２２に出力されると、平均化回路２２において、当該表示画素１１０毎の白色光の輝度値を、表示部１１を分割した所定のブロック毎に平均化する（ステップＳ４：平均化ステップ）。
【００４７】
具体的には、例えば、平均化回路２２は、図４（ｂ）に示すように、一つのブロックの縦に２個、横に２個の表示画素１１０が配されるよう表示部１１を分割して、ブロック毎に、白色光の輝度値を平均化する。すると、図４（ｃ）に示すような平均化されたブロック毎の白色光の輝度値が得られる。
【００４８】
次いで、平均化されたブロック毎の白色光の輝度値が、平均化回路２２から補正値算出部２３に出力されと、補正値算出部２３において、平均化されたブロック毎の白色光の輝度値が均一となるように、ブロック毎の補正値が算出される（ステップＳ５：補正値算出ステップ）。
【００４９】
具体的には、例えば、平均化されたブロック毎の白色光の輝度値のうちの、最小の輝度値に一致させるように、ブロック毎の補正値を算出する。すなわち、図４（ｃ）に示すブロック毎の白色光の輝度値においては、「８」が最小の輝度値となるため、当該「８」に一致させるように、ブロック毎の補正値を算出する。すると、図４（ｄ）に示すような補正値が得られる。具体的には、図４（ｄ）に示す白色光の輝度値に基づく補正値は、最小の輝度値「８」と、図４（ｃ）に示すブロック毎の白色光の輝度値との差である。
【００５０】
次いで、当該算出された白色光の輝度値に基づくブロック毎の補正値が、補正値算出部２３からＬＣＤ１に出力されると、制御部１０は、当該白色光の輝度値に基づくブロック毎の補正値を、ブロック毎に、記憶部１２の白色光補正値データファイル１２１に記憶させる（ステップＳ６：記憶制御ステップ）。
【００５１】
具体的には、図４（ｄ）に示す白色光の輝度値に基づくブロック毎の補正値を、例えば、白色光補正値データファイル１２１（例えば、図３（ａ））に記憶させる。すると、白色光補正値データファイル１２１は、図５（ａ）に示すようなる。
【００５２】
次いで、信号出力部１３から、補正部１４を介して、表示部１１の各表示画素１１０に、黒色（２５６階調の色）の光を出力させるための映像信号が出力される（ステップＳ７）。
【００５３】
具体的には、信号出力部１３は、補正部１４の近似回路１４１に、補正値を取得するために必要な信号などを出力し、補正部１４の加算回路１４２に、映像信号を出力する。近似回路１４１は、信号出力部１３から補正値を取得するために必要な信号が入力されると、黒色光を出力させるための映像信号を補正する補正値を、ブロック毎に取得して、加算回路１４２に出力する。そして、加算回路１４２は、近似回路１４１から入力されたブロック毎の補正値に基づいて、信号出力部１３から入力された映像信号を加算補正し、当該補正した映像信号を、表示部１０の該当する画素位置に配された表示画素１１０に出力する。なお、ステップＳ７の時点においては、黒色光補正値データファイル１２２（図２（ｂ））に記憶された補正値は、全て「０」であるため、近似回路１４１から加算回路１４２に入力されるブロック毎の補正値は、全て「０」となる。したがって、映像信号は、加算回路１４２によって加算補正されても、変化することなく、表示部１０の表示画素１１０に出力されることとなる。
【００５４】
次いで、表示部１１の各表示画像１１０から、黒色光が出力される（ステップＳ８）。すると、輝度値測定部２１において、当該黒色光の輝度値が、表示画素１１０毎に測定される（ステップＳ９：輝度測定ステップ）。
【００５５】
具体的には、例えば、表示部１１の各表示画像１１０から、図６（ａ）に示すような黒色光の輝度値が得られたとする。
【００５６】
次いで、表示画素１１０毎の黒色光の輝度値が、輝度値測定部２１から平均化回路２２に出力されると、平均化回路２２において、当該表示画素１１０毎の黒色光の輝度値を、表示部１１を分割した所定のブロック毎に平均化する（ステップＳ１０：平均化ステップ）。
【００５７】
具体的には、例えば、平均化回路２２は、図４（ｂ）と同様にして、図６（ｂ）に示すように、一つのブロックの縦に２個、横に２個の表示画素１１０が配されるよう表示部１１を分割して、ブロック毎に、黒色光の輝度値を平均化する。すると、図６（ｃ）に示すような平均化されたブロック毎の黒色光の輝度値が得られる。
【００５８】
次いで、平均化されたブロック毎の黒色光の輝度値が、平均化回路２２から補正値算出部２３に出力されと、補正値算出部２３において、平均化されたブロック毎の黒色光の輝度値が均一となるように、ブロック毎の補正値が算出される（ステップＳ１１：補正値算出ステップ）。
【００５９】
具体的には、例えば、平均化されたブロック毎の黒色光の輝度値のうちの、最小の輝度値に一致させるように、ブロック毎の補正値を算出する。すなわち、図６（ｃ）に示すブロック毎の黒色光の輝度値においては、「０」が最小の輝度値となるため、当該「０」に一致させるように、ブロック毎の補正値を算出する。すると、図６（ｄ）に示すような補正値が得られる。具体的には、図６（ｄ）に示す黒色光の輝度値に基づく補正値は、最小の輝度値「０」と、図６（ｃ）に示すブロック毎の黒色光の輝度値との差である。
【００６０】
次いで、当該算出された黒色光の輝度値に基づくブロック毎の補正値が、補正値算出部２３からＬＣＤ１に出力されると、制御部１０は、当該黒色光の輝度値に基づくブロック毎の補正値を、ブロック毎に、記憶部１２の黒色光補正値データファイル１２２に記憶させる（ステップＳ１２：記憶制御ステップ）。そして、本処理が終了する。
【００６１】
具体的には、図６（ｄ）に示す黒色光の輝度値に基づくブロック毎の補正値を、例えば、黒色光補正値データファイル１２２（例えば、図３（ｂ））に記憶させる。すると、黒色光補正値データファイル１２２は、図５（ｂ）に示すようなる。
【００６２】
なお、本処理が終了すると、ＬＣＤ１からケーブル３が外され、そして、ＬＣＤ１は、例えば、出荷されることになる。
[表示装置の映像表示方法]
次に、ＬＣＤ１における映像表示方法について説明する。
【００６３】
例えば、ＬＣＤ１の信号出力部１３を、外部機器などとケーブルなどで接続する。そして、映像信号などが、外部機器からＬＣＤ１に出力される。すると、映像信号は、信号出力部１３を介して、補正部１４に出力される。具体的には、外部機器から、補正部１４の近似回路１４１に、補正値を取得するために必要な信号が出力され、補正部１４の加算回路１４１に、映像信号が出力される。
【００６４】
近似回路１４１は、補正値を取得するために必要な信号が入力されると、まず、補正値を取得するために必要な信号のうちの画素位置信号と、白色光補正データファイル１２１の「白色光の補正値」記憶領域に記憶された表示部１１におけるブロックの位置とに基づいて、ブロック毎に、「白色光の補正値」記憶領域から、白色光の補正値（白色光を出力させるための映像信号を補正する補正値）を取得するとともに、画素位置信号と、黒色光補正データファイル１２２の「黒色光の補正値」記憶領域に記憶された表示部１１におけるブロックの位置とに基づいて、ブロック毎に、「黒色光の補正値」記憶領域から、黒色光の補正値（黒色光を出力されるための映像信号を補正する補正値）を取得する。
【００６５】
ここで、具体的には、例えば、図５（ａ）に示す白色光補正値データファイル１２１と
、図５（ｂ）に示す黒色光補正値データファイル１２２において、表示部１１における右上角のブロックの白色光を出力させるための映像信号を補正する補正値は、「白色光の補正値」記憶領域１２１ａ４１に記憶された「−２」であり、表示部１１における右上角のブロックの黒色光を出力させるための映像信号を補正する補正値は、「黒色光の補正値」記憶領域１２２ａ４１に記憶された「−１」である。
【００６６】
次いで、近似回路１４１は、当該取得した補正値を用いて、例えば、直線の近似式を、ブロック毎に算出する。
【００６７】
ここで、具体的に、例えば、表示部１１における右上角のブロックの直線の近似式Ａは、図７に示すようになる。図７の横軸は階調であり、縦軸は補正値である。そして、直線の近似式Ａは、表示部１１における右上角のブロックから白色（０階調の色）の光を出力させるための映像信号を補正する補正値「−２」と、表示部１１における右上角のブロックから黒色（２５６階調）の光を出力させるための映像信号を補正する補正値「−１」とを結んだ直線である。
【００６８】
次いで、近似回路１４１は、当該算出したブロック毎の直線の近似式と、階調信号とを用いて、当該階調の光を出力させるための映像信号を補正する補正値を、ブロック毎に取得する。
【００６９】
ここで、具体的には、表示部１１における右上角のブロックに出力される映像信号の階調が、１２８階調であるとすると、図７に示す近似式Ａを用いて、補正値「−１．５」が取得される。
【００７０】
次いで、近似回路１４１は、映像信号の同期信号に従って、当該取得したブロック毎の補正値を、加算回路１４２に出力する。
【００７１】
次いで、加算回路１４２は、外部機器から入力された映像信号を、映像信号の同期信号に従って近似回路１４１から入力された補正値に基づいて、加算補正し、当該補正した映像信号を、表示部１０の該当する画素位置に配された表示画素１１０に出力する。
【００７２】
以上説明した本発明のＬＣＤ１によれば、信号出力部１３によって、表示部１１に、白色光を出力させるための映像信号を入力されると、輝度値測定部２１によって、表示部１１から出力される白色光の輝度値を、表示画素１１０毎に測定することができ、平均化回路２２によって、表示部１１を所定のブロックに分割し、輝度値測定部２３で測定された表示画素１１０毎の白色光の輝度値を、所定のブロック毎に平均化することができ、補正値算出部２３によって、平均化回路２２により平均化されたブロック毎の白色光の輝度値が均一となるように、ブロック毎に、白色光の輝度値に基づく補正値を算出することができ、そして、補正値算出部２３により算出された白色光の輝度値に基づくブロック毎の補正値を、ＬＣＤ１の記憶部１２に白色光補正値データファイル１２１に記憶させることができる。さらに、信号出力部１３によって、表示部１１に、黒色光を出力させるための映像信号を入力されると、輝度値測定部２１によって、表示部１１から出力される黒色光の輝度値を、表示画素１１０毎に測定することができ、平均化回路２２によって、表示部１１を所定のブロックに分割し、輝度値測定部２３で測定された表示画素１１０毎の黒色光の輝度値を、所定のブロック毎に平均化することができ、補正値算出部２３によって、平均化回路により平均化されたブロック毎の黒色光の輝度値が均一となるように、ブロック毎に、黒色光の輝度値に基づく補正値を算出することができ、そして、補正値算出部２３により算出された黒色光の輝度値に基づくブロック毎の補正値を、ＬＣＤ１の記憶部１２の黒色光補正値データファイル１２２に記憶させることができる。
【００７３】
したがって、ＬＣＤ１の記憶部１２に、ＬＣＤ１の表示部１１（画面）上の全ての表示画素１１０に対する補正値を記憶させる場合と比較して、記憶容量を小さくすることがで
きるため、ＬＣＤ１のコストダウンが可能となる。さらに、従来では、輝度ムラにより不良品となっていたものを、本発明を用いることにより、良品とすることができるようになって、歩留まりの向上を図ることができる。
【００７４】
また、補正部１４は、記憶部１２に記憶された少なくとも白色光の輝度値に基づく補正値（すなわち、白色光を出力させるための映像信号を補正する補正値）と、黒色光の輝度値に基づく補正値（すなわち、黒色光を出力させるための映像信号を補正する補正値）を用いて、ブロック毎に近似式を算出し、算出されたブロック毎の近似式を用いて、表示部１１から白色光と黒色光以外の他の階調の光を出力させるための映像信号の補正を、ブロック毎に行うことができる。すなわち、白色光及び黒色光の輝度値に基づく補正値を用いて、表示部１１の輝度ムラを補正することができるため、表示部１１において表示することができる全ての階調の光について輝度ムラを補正することができるため、より正確に、効率よく、表示装置の画面の輝度を均一にすることができる。
【００７５】
なお、本発明は、上記した実施の形態のものに限るものではない。
【００７６】
例えば、白色光（０階調の光）の輝度値に基づく補正値（すなわち、白色光を出力させるための映像信号を補正する補正値）と、黒色光（２５６階調の光）の輝度値に基づく補正値（すなわち、黒色光を出力させるための映像信号を補正する補正値）とを、記憶部１２に記憶するようにしたが、少なくとも二つの階調の光を出力させるための映像信号を補正する補正値が記憶されるのであれば、階調のレベル、階調の個数には制限はない。すなわち、例えば、記憶部１２に、０階調の光の輝度値に基づく補正値と、５０階調の光の輝度値に基づく補正値と、１００階調における色の光の輝度値に基づく補正値と、２００階調光の輝度値に基づく補正値とを記憶させるようにしてもよい。
【００７７】
また、記憶部１２に、白色光の輝度値に基づく補正値が記憶されるのであれば、黒色光の輝度値に基づく補正値を記憶しなくてもよい。この場合、黒色光の輝度値に基づく補正値は、常に、例えば、「０」であるとする。
【００７８】
また、ブロック毎の光の輝度値を均一にするために、最小の輝度値に一致させるようにしたが、一致させる輝度値には、特に制限はない。すなわち、例えば、最大の輝度値に一致させるようにしてもよいし、中間の輝度値に一致させるようにしてもよい。
【００７９】
また、補正値を算出する際に、最小の輝度値と、ブロック毎の輝度値と差を算出したが、ブロック毎の光の輝度値を均一にすることができるのであれば、補正値の算出方法には、特に制限はない。
【００８０】
また、近似式を直線の近似式としたが、高次式の形に、適宜、変更してよい。
【００８１】
また、表示部１１におけるブロックの個数、一つのブロックに含まれる表示画素１１０の数も、適宜、変更してよい。
【００８２】
表示装置として、ＬＣＤ１を挙げたが、複数の表示ユニット（表示画素１１０）を並べて構成される表示装置であれば、表示装置には、特に制限はなく、例えば、ブラウン管（ＣＲＴ）ディスプレイや、プラズマディスプレイ（ＰＤＰ）、電界放出ディスプレイ（ＦＥＤ）、エレクトロルミネッセンス（ＥＬ）ディスプレイなどでもよい。
【００８３】
図４（ａ）に示す、表示画素１１０毎の白色光の輝度値を示した数値、図６（ａ）に示す、表示画素１１０毎の黒色光の輝度値は、便宜上、採用した数値であり、白色光の輝度値、黒色光の輝度値は、この限りではない。
【００８４】
また、階調の範囲を、０から２５６階調としたが、この限りではない。
【図面の簡単な説明】
【００８５】
【図１】本発明の実施の形態におけるＬＣＤ（表示装置）の機能的構成を示すブロック図である。
【図２】図２（ａ）は、図１に示した白色光補正値データファイルにおける補正値が記憶される前のデータ構造を示す図であり、図２（ｂ）は、図１に示した黒色光補正値データファイルにおける補正値が記憶される前のデータ構造を示す図である。
【図３】ＬＣＤにおける輝度補正に関する処理を説明するためのフローチャートである。
【図４】図４（ａ）は、表示部における各表示画素から出力された白色光の輝度値を示す図であり、図４（ｂ）は、所定のブロックに分割した表示部を示す図であり、図４（ｃ）は、平均化された所定のブロック毎の白色光の輝度値を示す図であり、図４（ｄ）は、ブロック毎の白色光を出力させるための映像信号を補正する補正値を示す図である。
【図５】図５（ａ）は、図１に示した白色光補正値データファイルにおける補正値が記憶された後のデータ構造を示す図であり、図５（ｂ）は、図１に示した黒色光補正値データファイルにおける補正値が記憶された後のデータ構造を示す図である。
【図６】図６（ａ）は、表示部における各表示画素から出力された黒色光の輝度値を示す図であり、図６（ｂ）は、所定のブロックに分割した表示部を示す図であり、図６（ｃ）は、平均化された所定のブロック毎の黒色光の輝度値を示す図であり、図７（ｄ）は、ブロック毎の黒色光を出力させるための映像信号を補正する補正値を示す図である。
【図７】近似回路で算出される近似式を説明するための図である。
【符号の説明】
【００８６】
１  ＬＣＤ（表示装置）
２  補正値算出装置
１１  表示部
１２  記憶部
１３  信号出力部
１４  補正部
２１  輝度値補正部
２２  平均化回路
２３  補正値算出部
１１０  表示画素（表示ユニット）
１２１  白色光補正値データファイル（白色記憶部）
１２２  黒色光補正値データファイル（黒色記憶部）
１４１  近似回路
１４２  加算回路
２１０  光センサ
Ａ  近似式
【図１】
2006235541.tif 000003
【図２】
2006235541.tif 000004
【図３】
2006235541.tif 000005
【図４】
2006235541.tif 000006
【図５】
2006235541.tif 000007
【図６】
2006235541.tif 000008
【図７】
2006235541.tif 000009